(57)【要約】      （修正有）【課題】振動または揺動に耐えるエネルギー貯蔵セルを提供する。【解決手段】基部と、基部から延びる側部と、側部によって画定される開口とを有する蓄電池筐体１０２の中に再充電可能エネルギー貯蔵セル１０４を挿入するステップであって、再充電可能エネルギー貯蔵セル１０４が開口を通して蓄電池筐体１０２の中に挿入される、ステップと、再充電可能エネルギー貯蔵セル１０４上に絶縁体１０６を装着するステップと、絶縁体１０６および再充電可能エネルギー貯蔵セルが、筐体カバー１０８と筐体の基部との間で圧縮状態に維持されるように、筐体カバー１０８を蓄電池筐体１０２に固定するステップとを含む。また、蓄電池筐体１０２と、筐体カバー１０８と、蓄電池筐体１０２内に配置された複数の再充電可能エネルギー貯蔵セル１０４と、再充電可能エネルギー貯蔵セル１０４および筐体カバー１０８の間に配置され、圧縮状態に維持される絶縁体１０６とを含む。【選択図】図１
2013140790.tif 000002
【特許請求の範囲】
【請求項１】
基部と、前記基部から延びる側部と、前記側部によって画定される開口とを有する蓄電池筐体の中に再充電可能エネルギー貯蔵セルを挿入するステップであって、前記再充電可能エネルギー貯蔵セルが前記開口を通して前記蓄電池筐体の中に挿入される、ステップと、
前記再充電可能エネルギー貯蔵セル上に絶縁体を装着するステップと、
前記絶縁体および前記再充電可能エネルギー貯蔵セルが、前記筐体カバーと前記筐体の基部との間で圧縮状態に維持されるように、筐体カバーを前記蓄電池筐体に固定するステップと
を含む、再充電可能蓄電池を組み立てる方法。
【請求項２】
前記絶縁体が複数の雲母板を備える、請求項１記載の再充電可能蓄電池を組み立てる方法。
【請求項３】
前記絶縁体を前記再充電可能エネルギー貯蔵セル上に装着するステップが、前記蓄電池筐体の前記開口の周辺によって画定される平面を通して前記雲母板が延びるように、前記複数の雲母板を装着するステップをさらに含む、請求項２記載の再充電可能蓄電池を組み立てる方法。
【請求項４】
前記筐体カバーが前記蓄電池筐体に固定されると、前記絶縁体が、前記基部と前記筐体カバーとの間の方向に少なくとも５％圧縮される、請求項１記載の再充電可能蓄電池を組み立てる方法。
【請求項５】
前記筐体カバーを前記蓄電池筐体に固定するステップが、前記絶縁体を圧縮するために少なくとも１．７ｋｐａの力を前記筐体カバーに加えるステップを含む、請求項１記載の再充電可能蓄電池を組み立てる方法。
【請求項６】
前記絶縁体の圧縮が、前記筐体カバーと前記筐体の基部との間の方向に前記エネルギー貯蔵セルが移動するのを阻止する、請求項１記載の再充電可能蓄電池を組み立てる方法。
【請求項７】
前記蓄電池筐体の前記側部が、前記蓄電池筐体のほぼ矩形の断面を形成する４つの側面を含む、請求項１記載の再充電可能蓄電池を組み立てる方法。
【請求項８】
前記蓄電池筐体が深絞り囲いを含む、請求項１記載の再充電可能蓄電池を組み立てる方法。
【請求項９】
前記蓄電池筐体の前記側部が、前記基部と溶接されて前記蓄電池筐体を形成する、請求項１記載の再充電可能蓄電池を組み立てる方法。
【請求項１０】
前記筐体カバーが、溶接によって前記蓄電池筐体に固定される、請求項１記載の再充電可能蓄電池を組み立てる方法。
【請求項１１】
前記筐体カバーが、機械的締め具によって前記蓄電池筐体に固定される、請求項１記載の再充電可能蓄電池を組み立てる方法。
【請求項１２】
前記筐体カバーを前記蓄電池筐体に固定した後で、前記再充電可能蓄電池を排気するステップをさらに含む、請求項１記載の再充電可能蓄電池を組み立てる方法。
【請求項１３】
前記再充電可能エネルギー貯蔵セルがハロゲン化ナトリウムセルである、請求項１記載の再充電可能蓄電池を組み立てる方法。
【請求項１４】
基部と、前記基部から延びる側部と、前記側部によって画定される開口とを有する蓄電池筐体と、
前記蓄電池筐体に固定される筐体カバーと、
エネルギー貯蔵セルの少なくとも一部が互いに電気的に接続された状態で、前記蓄電池筐体内に配置された複数の再充電可能エネルギー貯蔵セルと、
前記再充電可能エネルギー貯蔵セルと前記筐体カバーとの間に配置された絶縁体と
を備え、
前記絶縁体および前記エネルギー貯蔵セルが、前記筐体カバーと前記筐体の基部との間で圧縮状態に維持される、再充電可能蓄電池。
【請求項１５】
前記絶縁体が複数の雲母板を含む、請求項１４記載の再充電可能蓄電池。
【請求項１６】
前記絶縁体が、少なくとも１．７ｋｐａの圧縮力で圧縮状態に維持される、請求項１４記載の再充電可能蓄電池。
【請求項１７】
前記絶縁体の前記圧縮が、前記筐体カバーと前記筐体の基部との間で前記エネルギー貯蔵セルが移動するのを阻止する、請求項１４記載の再充電可能蓄電池。
【請求項１８】
前記エネルギー貯蔵セルの前記少なくとも一部が、溶接接続によって電気的に接続される、請求項１４記載の再充電可能蓄電池。
【請求項１９】
基部と、前記基部から延びる側部と、前記側部によって画定される開口とを有する蓄電池筐体と、
前記蓄電池筐体の前記側部に固定されて前記開口を覆う筐体カバーと、
前記蓄電池筐体内に配置された、複数の電気的に相互接続された再充電可能エネルギー貯蔵セルと、
前記再充電可能エネルギー貯蔵セルと前記筐体カバーとの間に配置された複数の雲母板と
を備え、
前記筐体カバーと前記筐体の基部との間で前記エネルギー貯蔵セルが移動するのを阻止するために、前記複数の雲母板および前記エネルギー貯蔵セルが、前記筐体カバーと前記筐体の基部との間で圧縮状態に維持され、前記圧縮が、１．７ｋｐａ以上の圧縮力か、または前記複数の雲母板を、その非圧縮状態から垂直寸法で少なくとも５％だけ圧縮するのに適する圧縮力のうちの少なくとも一方を含む、再充電可能蓄電池。
【請求項２０】
前記エネルギー貯蔵セルが、少なくとも１００℃の動作温度を有するハロゲン化ナトリウムセルである、請求項１９記載の再充電可能蓄電池。
【発明の詳細な説明】
【技術分野】
【０００１】
本発明の実施形態は、再充電可能蓄電池に関する。他の実施形態は、再充電可能蓄電池を組み立てるための方法および装置に関する。
【背景技術】
【０００２】
エネルギー貯蔵装置は、損傷および製造可能性の課題を抱えている。緩くパッケージ化された蓄電池は、特に蓄電池が車両または他の運動する台座（platform）の中で使用される場合に、エネルギー貯蔵セル、またはエネルギー貯蔵セルの間の接続を損傷する、振動または揺動（shaking）をもたらす可能性がある。
【発明の概要】
【０００３】
現在利用可能なそれらのパッケージとは異なる蓄電池パッケージを有することが望ましい。
【０００４】
再充電可能蓄電池を組み立てる方法を、ここに開示する。一実施形態では、方法は、基部と、基部から延びる側部と、側部によって画定される開口とを有する蓄電池筐体の中に再充電可能エネルギー貯蔵セルを挿入するステップであって、再充電可能エネルギー貯蔵セルが開口を通して蓄電池筐体の中に挿入される、ステップと、再充電可能エネルギー貯蔵セル上に絶縁体を装着するステップと、絶縁体および再充電可能エネルギー貯蔵セルが、筐体カバーと筐体の基部との間で圧縮状態に維持されるように、筐体カバーを蓄電池筐体に固定するステップとを含む。
【０００５】
同様に、再充電可能蓄電池を開示する。一実施形態では、蓄電池筐体が、基部と、基部から延びる側部と、側部によって画定される開口とを有し、筐体カバーが、蓄電池筐体に固定され、エネルギー貯蔵セルの少なくとも一部が互いに電気的に相互接続された状態で、複数の再充電可能エネルギー貯蔵セルが、蓄電池筐体内に配置され、絶縁体が、再充電可能エネルギー貯蔵セルおよび筐体カバーの間に配置され、絶縁体およびエネルギー貯蔵セルが、筐体カバーと筐体の基部との間で圧縮状態に維持される。
【０００６】
別の実施形態では、再充電可能蓄電池が、基部と、基部から延びる側部と、側部によって画定される開口とを有する蓄電池筐体を備える。再充電可能蓄電池は、蓄電池筐体の側部に固定されて開口を覆う筐体カバーをさらに備える。再充電可能蓄電池は、蓄電池筐体内に配置された、複数の電気的に接続された再充電可能エネルギー貯蔵セルをさらに備える。再充電可能蓄電池は、再充電可能エネルギー貯蔵セルおよび筐体カバーの間に配置された複数の雲母板（mica sheet）をさらに備える。筐体カバーと筐体の基部との間でエネルギー貯蔵セルが移動するのを阻止するために、複数の雲母板およびエネルギー貯蔵セルが、筐体カバーと筐体の基部との間で圧縮状態に維持される。圧縮の量は、１．７ｋｐａ以上の圧縮力、および／または複数の雲母板の非圧縮状態から垂直寸法で少なくとも５％だけ複数の雲母板を圧縮するのに適する圧縮力から成る。
【０００７】
以下の記載においてより詳細に説明されるように、本発明の特定の実施形態および他の利点が示される添付の図面を参照されたい。
【図面の簡単な説明】
【０００８】
【図１】エネルギー貯蔵装置の斜視図である。
【図２】エネルギー貯蔵装置のための囲い（enclosure）の斜視図である。
【図３】エネルギー貯蔵装置のための別の囲いの斜視図である。
【図４】エネルギー貯蔵装置のための別の囲いの斜視図である。
【図５】エネルギー貯蔵装置のための別の囲いの斜視図である。
【図６】エネルギー貯蔵装置の囲いのためのカバーの斜視図である。
【図７】エネルギー貯蔵装置の囲いのための別のカバーの斜視図である。
【図８】エネルギー貯蔵装置の囲いのための別のカバーの斜視図である。
【図９】エネルギー貯蔵装置の囲いのための別のカバーの斜視図である。
【図１０】エネルギー貯蔵装置の断面図である。
【発明を実施するための形態】
【０００９】
本明細書で開示する主題は、再充電可能蓄電池など、エネルギー貯蔵装置のための囲いに関する。図１から図１０までの全体を参照して、エネルギー貯蔵装置のための囲いおよびエネルギー貯蔵装置をパッケージ化するための方法の実施形態を開示する。エネルギー貯蔵装置のための囲いは、ハロゲン化ナトリウム（sodium-halide）（例えば、ナトリウム金属ハロゲン（sodium-metal-halide））、ナトリウム−硫黄、リチウム−硫黄のセル、およびエネルギー貯蔵のために使用される他の利用可能な電気化学セルなど、多種多様の電気化学セルを担持することができる。一実施形態では、電気化学セルが、セル内で使用される材料の融点によって確定される動作温度を有する。例えば、動作温度は、２５０℃と４００℃との間、または４００℃と７００℃との間など、少なくとも約１００℃またはそれ以上であってよいが、他の所望の動作温度も可能である。一実施形態では、動作温度は、２５０℃と３５０℃との間である。
【００１０】
いくつかの実施形態では、再充電可能エネルギー貯蔵セルが、約３７ｍｍ×２７ｍｍ×２４０ｍｍの寸法を有し、それらの寸法のいずれかは、種々の実施形態によれば、±５０％まで変化してよい。他の実施形態では、エネルギー貯蔵セルが、約１０ｍｍの直径と、１１０ｍｍと２１０ｍｍとの間の長さとを有してよい。実施形態では、セルの化学的性質は、蓄電池充電中にＮａＣＬとＮｉとがＮａとＮｉＣｌ2とに変換されるナトリウム金属ハロゲンの種類であってよい。エネルギー貯蔵セルのエネルギー容量は、約２アンペア時から約２５０アンペア時までに及ぶことができる。再充電可能蓄電池は、複数のエネルギー貯蔵セルを収容する大きさに作られた蓄電池筐体を有する複数のエネルギー貯蔵セルを含む。一実施形態では、再充電可能蓄電池は、１００のエネルギー貯蔵セルを含み、蓄電池筐体は、約４００ｍｍ×３００ｍｍ×３００ｍｍの寸法を有する。他の実施形態では、再充電可能蓄電池は、少なくとも２０セル、少なくとも５０セル、または少なくとも１５０セルを含んでよく、蓄電池筐体は、それに応じた大きさに作られる。いくつかの実施形態では、蓄電池筐体は、再充電可能蓄電池内に設けられるエネルギー貯蔵セルより多くのエネルギー貯蔵セルを収容する大きさに作られる。例えば、蓄電池筐体は５０セルまで収容可能であるが、再充電可能蓄電池は、電気的要請に基づいて４０セルだけで占められてよく、筐体内の残りの空間は、蓄電池筐体内に配置される蓄電池セルが移動するのを阻止するために、充填材料または他の担体で占められてよい。
【００１１】
種々の実施形態では、再充電可能蓄電池は、基部と、基部から延びる側部と、側部によって画定される開口とを有する蓄電池筐体を含む。再充電可能蓄電池はまた、蓄電池筐体内に配置される複数の再充電可能エネルギー貯蔵セルと共に蓄電池筐体に固定される筐体カバーを含む。一実施形態では、エネルギー貯蔵セルは、エネルギー貯蔵セルのそれぞれの正端子と負端子との間を、溶接接続によって電気的に接続される。再充電可能蓄電池はまた、再充電可能蓄電池セルと筐体カバーとの間に配置され、エネルギー貯蔵セルが移動するのを阻止して溶接されたセル間接続への応力を回避する絶縁体を含む。一実施形態では、筐体は、基部からの遠位部にある開口を画定する周辺縁部（peripheral edge）を含み、その開口を通して、再充電可能エネルギー貯蔵セルが、蓄電池筐体の内部容積の中に挿入される。開口は、再充電可能蓄電池を組み立てる間に、１つまたは複数の電気化学セルを受ける大きさに作られる。種々の実施形態では、エネルギー貯蔵セルおよび筐体カバーの間に配置された絶縁体は、電気的もしくは熱的または電気的かつ熱的に絶縁する１つまたは複数の材料で形成される。一実施形態では、絶縁体は、別々の部分を含み、絶縁体の外部被覆（outer covering）などの第１の部分は電気的に絶縁する一方で、絶縁の内部などの第２の部分は熱的に絶縁する。一実施形態では、筐体カバーは、蓄電池筐体の周辺縁部に固定可能である。このようにして、筐体およびカバーは、約１００℃を超える動作温度における少なくとも１つの電気化学セルを含有するように構成される。いくつかの実施形態では、筐体およびカバーは、２５０℃を超える温度、または約４００℃を超える温度で動作する電気化学セルを収容するように構成される。
【００１２】
図１を参照すると、再充電可能蓄電池組立体１００の一実施形態の切り欠き図が示される。図示の実施形態では、再充電可能蓄電池が、１つまたは複数の再充電可能エネルギー貯蔵セル１０４を受けるための蓄電池筐体１０２を含む。カバー１０８が、蓄電池筐体１０２に固定されて、セル１０４を筐体内に包囲する。絶縁体１０６が、筐体カバー１０８とセル１０４との間に設けられる。一実施形態では、カバー１０８が蓄電池筐体１０２に固定されるときに、セルが移動するのを阻止するために絶縁体とセル１０４とに圧力が加わるように、絶縁体１０６が、筐体カバーと筐体底部（housing base）との間で「Ｄ」方向（図１０参照）に十分な厚さを有する材料を含む。いくつかの実施形態では、筐体１０２がカバー１０８によって包囲されると、絶縁体１０６が圧縮される。
【００１３】
図２は、蓄電池筐体１０２の一実施形態の斜視図を示す。筐体１０２は、基部１１０と、基部１１０にほぼ垂直に延びて開口１１４を形成する側部１１２とを含む。図示の実施形態では、基部１１０は矩形であり、蓄電池筐体１０２は、基部１１０の周囲の周りに配列された４つの側部１１２を含む。それゆえ、開口１１４は、矩形のプロフィールを有する。さらに、図示の実施形態によれば、側部１１２は、境を接する関係に互いに接合される。
【００１４】
蓄電池筐体１０２のその他の種々の実施形態によれば、基部１１０は、円形、六角形、楕円形、または他の形状のプロフィールを有してよく、側部１１２は、基部１１０の周囲から延びて開口１１４を形成する。他の変形形態によれば、側部１１２は、基部１１０に対して垂直以外の角度で延びてよく、または不等高さであってよく、一様でない開口１１４を画定する。
【００１５】
図３〜図５を参照して、蓄電池筐体１０２の他の実施形態を示し、説明する。図２に示す実施形態によれば、筐体１０２の側部１１２が、頂縁部で終端する。図３に示すように、第２の実施形態によれば、周辺縁部１１６が、側部１１２に取り付けられて、開口１１４の開側（open side）周りに延びてよい。図４に示す実施形態によれば、周辺縁部１１６は、開口１１４から離れて延びて、側部１１２に垂直であってよい。図５に示す実施形態によれば、周辺縁部１１６は、開口１１４の中に延びてよく、側部１１２に垂直であってよい。種々の代替実施形態では、周辺縁部１１６は、側部１１２に対して鋭角または鈍角に延びてよく、かつ開口１１４の中に、または開口１１４から離れて曲げられ、丸められ、彎曲され、またはその他の方法で延ばされてもよい。
【００１６】
一実施形態によれば、筐体１０２は、１回型押しされた金属片で構築される。しかし、溶接、押し出し成形、締め具による組み立て、鋳造、または他の金属製作方法もしくは製作方法の組合せを含む、他の製作方法が企図される。一実施形態では、蓄電池筐体は、深絞り囲い（deep drawn enclosure）である。深絞り囲いは、一片の板状金属などの材料から形成され、所望の構成を達成するために、１回または複数回、プレス成形される。一実施形態では、プレス成形するステップは、金属の形状を変えるために、金型を使用して一片の金属を型押しするステップを含む。結果として得られる深絞り囲いは、元の材料の連続性を保持して、継ぎ目または他の不連続性の形成を回避する。深絞り囲いは、単一の切れ目のない構成要素から成る一体構造である。
【００１７】
種々のカバーを示す様々な実施形態を、図６〜図９に示す。図６に示す一実施形態によれば、カバー１０８は、開口１１４に合致するプロフィールを有する平らな板であってよい。別の実施形態によれば、カバー１０８は、例えば滑動する構成（sliding arrangement）の中に周辺縁部１１６を係合するために、図７に示すようなチャネル１１８を含んでよい。図８に示す別の態様によれば、カバー１０８は、開口１１４内で受けられる栓（plug）１２０を含んでよく、カバー１０８の平らな部分は、側部１１２または周辺縁部１１６に係合することができる。さらに別の態様によれば、カバー１０８が開口１１４の上に置かれるときに、側部１１２を取り囲むことができるリップ縁部（lip edge）１２２を含んでよい。
【００１８】
図１に示す実施形態によれば、再充電可能蓄電池組立体１００はまた、少なくともカバー１０８と再充電可能エネルギー貯蔵セル１０４との間に熱的および電気的絶縁をもたらす絶縁体１０６を含む。この実施形態の種々の態様によれば、絶縁体１０６は、Ｔｅｆｌｏｎ（登録商標）もしくは他のブランドのＰＴＦＥ、繊維ガラス、雲母、または他の熱的および／または電気的絶縁体から構築されてよい。
【００１９】
第１の配列によれば、絶縁体１０６は、並んで重なり合う（overlapping, side-by-side）配列かもしくは積み重なる配列のいずれかに配列された１つまたは複数の雲母板など、圧縮されるときに変形に抗するかなり堅い絶縁材料の板を含む。代替の配列によれば、絶縁体１０６は、力が加えられると圧縮し、ひずんで形状を変えることができる、織られた繊維ガラスなどの変形可能な絶縁である。
【００２０】
第１の実施形態に関して、絶縁体１０６は、再充電可能エネルギー貯蔵セル１０４とカバー１０８との間に置かれ、圧縮力がカバー１０８に加えられる。一態様によれば、この圧縮力は、少なくとも０．２５ポンド／平方インチ（「ｐｓｉ」）（少なくとも１．７ｋｐａ）である。代替としてまたは付加的に、圧縮力は、その非圧縮状態から垂直寸法で少なくとも５％だけ絶縁体１０６を圧縮するのに十分な大きさであってよい。筐体１０２およびカバー１０８の種々の配列を参照して以下に説明するように、種々の方法が、この配列を達成するために使用されてよい。
【００２１】
再充電可能蓄電池を組み立てる方法が、同様に開示される。再充電可能エネルギー貯蔵セル１０４は、基部１１０と、基部１１０から延びて開口１１４を画定する側部１１２とを有する蓄電池筐体１０２の中に挿入される。再充電可能エネルギー貯蔵セル１０４は、開口１１４を通して挿入されてよい。絶縁体１０６が、再充電可能エネルギー貯蔵セル１０４の上に設けられ、筐体カバー１０８が、絶縁体１０６を圧縮するように筐体１０２に固定される。再充電可能蓄電池を組み立てる方法はまた、筐体カバーを蓄電池筐体に固定した後で再充電可能蓄電池を排気する（evacuate）ことを含んでよい。一実施形態では、蓄電池筐体は、再充電可能エネルギー貯蔵セルが減圧状態に維持されるように、蓄電池筐体の内部を排気するために構成された密封可能なポートを含む。一実施形態では、減圧は、蓄電池筐体を排気した後で密封可能なポートが密封されると維持される、実質的な真空である。
【００２２】
上で説明した方法の種々の実施形態によれば、蓄電池筐体１０２は、再充電可能エネルギー貯蔵セル１０４を筐体１０２内に担持し、係合し、受け、またはロックするための付加的な構造を含んでよい。この構造は、留め金（clasp）、レール、摩擦係合のためのリップ、締め具（fastener）、締め具を受けるための開口、凹部、または他の係合構造を、限定されることなく含んでよい。
【００２３】
また、種々の実施形態によれば、絶縁体１０６は、Ｔｅｆｌｏｎ（登録商標）もしくは他のブランドのＰＴＦＥ、雲母、繊維ガラス、または他の熱的および電気的絶縁体を含んでよい。絶縁体１０６は、加えられた力と変位との間の比において、織られた繊維ガラスのような低い比を有してよく、または雲母板のように高い比を有してよい。振動もしくは損傷による変位に抗して、再充電可能エネルギー貯蔵セル１０４を保護するためにカバー１０８に加えられる力の量を、圧縮比が変化させうる。
【００２４】
第１の実施形態によれば、圧縮力を絶縁体１０６にもたらし、それにより振動力に抗して再充電可能蓄電池セル１０４を固定するために、カバー１０８が、筐体１０２に固定される。
【００２５】
この実施形態の第１の態様によれば、カバー１０８は、最初に、絶縁体１０６上に置かれてよい。次に、絶縁体１０６、電気化学セル１０４のいくぶんか、または筐体１０２のいくぶんか（底部絶縁層もしくはばねなど、図示せず）のいずれかを変形することによって絶縁体１０６および電気化学セル１０４を圧縮するために、力がカバー１０８に加えられてよい。この変形は、カバー１０８が、筐体１０２に接触し、それにより溶接、締め具、または他の種類の永久的もしくは半永久的接続によって筐体に固定されることを可能にする。この態様によれば、圧縮力は、少なくとも０．２５ｐｓｉ（少なくとも１．７ｋｐａ）であってよい。他の実施形態では、圧縮力は、少なくとも０．５ｐｓｉ（少なくとも３．４ｋｐａ）または少なくとも１．０ｐｓｉ（少なくとも６．９ｋｐａ）であってよい。任意の所与の用途で使用される圧縮力のレベルは、再充電可能な電気化学セル１０４の振動の予想振幅に応じて変化する。
【００２６】
別の態様によれば、カバー１０８を筐体１０２に固定するために、ねじ、釘、または他の機械的締め具が使用される。この態様によれば、カバー１０８は貫通穴（図示せず）を含み、周辺縁部１１６は、締め具を受けるための、ナットなどの相手の締め具（counter-fastener）（図示せず）を含む。カバー１０８が、最初に、絶縁体１０６上に設置され、ねじが貫通穴に挿入されて相手の締め具を係合する。次いで、ねじが締められ、カバー１０８を筐体１０２に向かって駆動し、それにより変位を介して絶縁体１０６を圧縮することができる。一配列によれば、絶縁体１０６は、その厚さの１０％だけ圧縮されてよい。この態様では、締め具の長さは、選択された絶縁体の種類に応じて決まる。
【００２７】
本発明の他の態様によれば、カバー１０８は、筐体１０２の周辺縁部１１６を滑動可能に係合するためのチャネル１１８を含んでよい。例えば、少なくとも０．２５ｐｓｉ（少なくとも１．７ｋｐａ）の圧縮力が、絶縁体１０６に加えられてよく、カバー１０８は、筐体１０２上を滑動し、それによりチャネル１１８と周辺縁部１１６との間の相互作用によって圧縮を維持することができる。一配列によれば、カバー１０８は、固定位置に入ると、筐体１０２に溶接されてよく、締結されてよく、または他の方法で永久に固定されてよい。
【００２８】
本発明の他の態様によれば、絶縁体１０６は熱膨張率を有し、それにより絶縁体の厚さが室温で変化する。絶縁体１０６は、組み立て中は基準温度（base temperature）に維持され、それにより非膨脹状態にある。エネルギー貯蔵装置の高い動作温度によって、筐体１０２内の温度は、動作中に上昇し、それにより絶縁体１０６を膨脹させようとする。加熱されたセルが膨脹するにつれて、エネルギー貯蔵セル、絶縁および筐体を構築するために使用される材料の膨張係数に応じて、より大きな絶縁材料の圧縮がもたらされる。しかし、絶縁体１０６の膨脹は、カバー１０８によって抵抗され、それにより振動に抗するのに必要な圧縮力がもたらされる。一変形形態によれば、ひとたび熱的に活性化された絶縁体１０６は、温度が低下したときでもその膨脹した状態を維持する。代替の変形形態によれば、絶縁体１０６は熱的に応答可能であってよく、加熱されると膨脹し、冷やされると収縮する。
【００２９】
本発明の他の態様によれば、絶縁体１０６は、非圧縮状態で供給され、空気、または化学反応促進剤など、他の何らかの促進剤と接触して膨脹することができる。この態様では、カバー１０８は、絶縁体１０６が非圧縮状態にあるときに筐体１０２上に置かれ、カバー１０８が筐体１０２に固定された後で、絶縁体１０６が膨脹することを許容される。一変形形態によれば、絶縁体１０６は、カバー１０８が筐体１０２上に置かれる前に、再充電可能な電気化学セル１０４上に供給されてよい。次いで、カバー１０８が筐体１０２に固定され、絶縁体１０６が膨脹することを許容され、それにより圧縮力がもたらされる。別の変形形態によれば、絶縁体１０６は、膨脹するための促進剤を必要とする。絶縁体１０６が、再充電可能な電気化学セル１０４の上に供給され、カバー１０８が筐体１０２に固定されてよい。この変形形態によるカバー１０８は、促進剤を受けるための開口または貫通穴を含む。絶縁体１０６は、促進剤を受けると膨脹し、それにより再充電可能な電気化学セル１０４とカバー１０８との間に所望の圧縮力を発生させることができる。
【００３０】
本発明の他の態様によれば、絶縁体の組合せが提供される。この態様の一変形形態によれば、堅い雲母板などの第１の絶縁体１０６が、電気化学セル１０４にわたって供給され、構造的担体をもたらす。次いで、発泡性絶縁などの第２の絶縁体が、堅い雲母板とカバー１０８との間に供給され、それにより振動に抗して電気化学セル１０４を固定するために必要な圧縮力がもたらされる。この態様の別の変形形態によれば、繊維ガラスなどの容易に変形可能な絶縁体１０６が、最初に電気化学セル１０４の上に供給されて、セル１０４の端子または他の構成要素を保護する。第２の、雲母板などのより堅い絶縁体１０６が、第１の絶縁体の上に供給され、それにより付加的な構造および絶縁がもたらされる。さらに別の変形形態によれば、高い電気抵抗を示す第１の絶縁体が、電気化学セル１０４にわたって供給され、高い熱抵抗を示す第２の絶縁体が、第１の絶縁体とカバー１０８との間に供給される。種々の他の実施形態が、同様に検討されてよい。
【００３１】
明細書および特許請求の範囲において、以下の意味を有するいくつかの語句が言及される。単数形「１つの（a）」、「１つの（an）」および「その（the）」は、文脈が別段に明確に指示しない場合は、複数の指示対象を含む。明細書および特許請求の範囲を通して本明細書で使用される近似の言語は、関連する基本機能における変化をもたらすことなく、許容範囲内で変化することができる任意の量的表現を修飾するために適用されてよい。従って、「約（about）」などの語句によって修飾される値は、特定された正確な値に限定されるものではない。いくつかの例では、近似の言語は、値を測定するための機器の精度に対応してよい。同様に、「ない（free）」は、ある語句と組み合わせて使用されてよく、ごくわずかな数または微量を含んでよいが、依然として、修飾された語句がないものとみなされる。その上、別段に具体的に記述されない場合は、語句「第１の（first）」、「第２の（second）」などの任意の使用は、何らかの順序または重要性を意味するのではなく、語句「第１の」、「第２の」などは、１つの要素を他の要素と区別するために使用される。
【００３２】
本明細書で使用されるように、語句「可能である（may）」および「可能性がある（may be）」は、一組の状況の中である状況が発生する可能性、特定の性質、特性または機能の所有の可能性を示し、かつ／または適格にされる動詞に関連する能力、潜在能力または可能性のうちの１つまたは複数を表現することによって別の動詞を適格にする。従って、「可能である」および「可能性がある」の使用は、修飾された語句が、示された潜在能力、機能または有用性に対して明らかに妥当、可能、または適切である一方で、何らかの状況においては、修飾された語句は、ときには妥当、可能、または適切でない可能性があることを考慮に入れていることを示す。例えば、何らかの状況においては、ある事象または潜在能力が予期されてよく、その一方で、他の状況においては、その事象または潜在能力が発生する可能性はなく、この差異は、語句「可能である」および「可能性がある」によって捕らえられる。語句「発電機（generator）」および「交流発電機（alternator）」は、本明細書では代替可能に使用される（しかし、用途に応じて、一方の語句または他方の語句がより妥当である可能性があることが理解されよう）。制御器またはプロセッサに関して本明細書で使用される語句「命令（instruction）」は、コンピュータが実行可能な命令に言及することができる。
【００３３】
本明細書は、最良の形態を含めて本発明を開示するため、ならびに同様に、当業者が、任意の機器もしくはシステムを作製して使用すること、および任意の組み込まれた方法を実行することを含め、本発明を実行することを可能にするために、例を使用する。本発明の特許性のある範囲は、特許請求の範囲によって定義され、当業者が想到する他の例を含むことができる。そのような他の例は、それらが、特許請求の範囲の文字通りの言葉に相違しない構造要素を有する場合、またはそれらが、特許請求の範囲の文字通りの言葉と比べて非実質的な相違しか有さない均等な構造要素を含む場合に、特許請求の範囲内に存在することが意図されている。
【符号の説明】
【００３４】
１００  再充電可能蓄電池組立体
１０２  筐体
１０４  セル
１０６  絶縁体
１０８  カバー
１１０  基部
１１２  側部
１１４  開口
１１６  周辺縁部
１２０  栓
１２２  リップ縁部
【図１】
2013140790.tif 000003
【図２】
2013140790.tif 000004
【図３】
2013140790.tif 000005
【図４】
2013140790.tif 000006
【図５】
2013140790.tif 000007
【図６】
2013140790.tif 000008
【図７】
2013140790.tif 000009
【図８】
2013140790.tif 000010
【図９】
2013140790.tif 000011
【図１０】
2013140790.tif 000012
【外国語明細書】
2013140790000001.pdf